(57)【要約】【課題】読取品質の低下を抑制できるとともに、生産性の向上を実現できる画像読取装置を提供する。【解決手段】搬送部４は、シートＳＨの第１面ＳＨ１に当接可能に延在し、搬送経路Ｐ１においてシートＳＨを案内するガイド面１０１を形成するシュート部材１００を含む。シュート部材１００は、ガイド面１０１のうち、上側経路ＰＡ１を規定する第１ガイド面１１１を形成する第１シュート部材１１０と、ガイド面１０１のうち、第１傾斜部ＰＢ１１及び第２傾斜部ＰＢ１２の一方を規定する第２ガイド面１２２を形成する第２シュート部材１２０とを有する。第２シュート部材１２０は、第２ガイド面１２２から上側経路ＰＡ１側に向かって凹み、第１読取部３Ａを保持する保持部１２９を有する。第１シュート部材１１０は、ガイド面１０１のうち、第１傾斜部ＰＢ１１及び第２傾斜部ＰＢ１２の他方を規定する第３ガイド面１１３を形成する。【選択図】図３
2015156619.tif 000002
【特許請求の範囲】
【請求項１】
上側経路と、前記上側経路に対して下側に位置する下側経路と、前記上側経路と前記下側経路とを接続する湾曲経路とを含んでシートを搬送する搬送経路を規定し、前記上側経路及び前記下側経路の一方から、前記湾曲経路を経由し、前記上側経路及び前記下側経路の他方にシートを搬送するように構成された搬送部と、
前記搬送部によって搬送されるシートの画像を読み取る第１読取部と、を備える画像読取装置であって、
前記下側経路は、前記湾曲経路よりも下方に位置する所定の部分を基準部として、前記湾曲経路から前記基準部に向かって下り傾斜する第１傾斜部と、前記基準部から前記湾曲経路とは反対側に向かって上り傾斜する第２傾斜部と、を含み、
前記第１読取部は、シートが前記第１傾斜部及び前記第２傾斜部の一方を通過する際にシートの画像を読み取るように構成され、
前記搬送部は、前記上側経路において下側を向くとともに前記下側経路において上側を向くシートの第１面に当接可能に延在し、前記搬送経路においてシートを案内するガイド面を形成するシュート部材を含み、
前記シュート部材は、前記ガイド面のうち、前記上側経路を規定する第１ガイド面を形成する第１シュート部材と、前記ガイド面のうち、前記第１傾斜部及び前記第２傾斜部の一方を規定する第２ガイド面を形成する第２シュート部材と、を有し、
前記第２シュート部材は、前記第２ガイド面から前記上側経路側に向かって凹み、前記第１読取部を保持する保持部を有し、
前記第１シュート部材は、前記ガイド面のうち、前記第１傾斜部及び前記第２傾斜部の他方を規定する第３ガイド面を形成していることを特徴とする画像読取装置。
【請求項２】
前記第３ガイド面は、前記第１シュート部材において前記第１ガイド面とは反対側を向く面から前記下側経路側に向かって突出するように形成された複数のリブの下端縁によって構成されている請求項１記載の画像読取装置。
【請求項３】
前記搬送部は、前記上側経路から、前記湾曲経路を経由し、前記下側経路にシートを搬送するように構成され、
前記第１読取部は、シートが前記第１傾斜部を通過する際にシートの画像を読み取るように構成され、
前記第２シュート部材は、前記ガイド面のうち、前記第１傾斜部を規定する前記第２ガイド面を形成し、
前記第１シュート部材は、前記ガイド面のうち、前記第２傾斜部を規定する前記第３ガイド面を形成している請求項１又は２記載の画像読取装置。
【請求項４】
前記上側経路に送り出されるシートを下側から支持する供給部と、
前記下側経路において搬送されるシートが排出される排出部と、をさらに備え、
前記搬送部は、前記供給部から前記上側経路に送り出されるシートに接触しつつ回転し、シートを前記湾曲経路に向けて搬送する分離ローラと、前記分離ローラに対向し、前記分離ローラによって搬送されるシートを前記分離ローラと協働して１枚ずつに分離する分離片とを含み、
前記分離ローラ及び前記分離片は、前記第１シュート部材に取り付けられている請求項３記載の画像読取装置。
【請求項５】
前記搬送部は、前記供給部から前記上側経路に送り出されるシートが前記分離ローラの近傍に位置することを検出する検出部を含み、
前記検出部の少なくとも一部は、前記第１シュート部材に取り付けられている請求項４記載の画像読取装置。
【請求項６】
前記搬送部は、前記第１ガイド面に上側から対向しつつ、シートの前記第１面とは反対側を向く第２面に当接可能に延在し、前記上側経路においてシートを案内する第４ガイド面を形成する第１カバー部材と、
前記第２ガイド面及び前記第３ガイド面に下側から対向しつつ、シートの前記第２面に当接可能に延在し、前記下側経路においてシートを案内する第５ガイド面を形成する第２カバー部材とを含んでいる請求項１乃至５のいずれか１項記載の画像読取装置。
【請求項７】
前記搬送部は、前記搬送経路に沿ってシートを搬送する複数の搬送ローラを有し、
各前記搬送ローラは、前記第２カバー部材に取り付けられる請求項６記載の画像読取装置。
【請求項８】
前記搬送部は、各前記搬送ローラを駆動するための駆動部と、
前記駆動部を保持するフレーム部材とを含み、
前記フレーム部材は、前記第２カバー部材に取り付けられる請求項７記載の画像読取装置。
【請求項９】
読取対象の原稿を支持する原稿支持面が上面に形成された本体部と、
前記本体部内に収容され、前記原稿支持面に支持された原稿の画像を移動しながら読み取る第２読取部と、
前記原稿支持面を覆う閉鎖位置と、前記原稿支持面を露出させる開放位置とに変位可能に前記本体部に支持された開閉部と、をさらに備え、
前記搬送部及び前記第１読取部は、前記開閉部に設けられ、
前記第２読取部は、前記開閉部が前記閉鎖位置にある状態において、前記下側経路の前記基準部と対向し、前記搬送部によって搬送されるシートが前記基準部を通過する際にシートの前記第１面とは反対側を向く第２面の画像を読み取るように構成されている請求項１乃至８のいずれか１項記載の画像読取装置。
【請求項１０】
前記基準部は、前記第２読取部が前記搬送部によって搬送されるシートの画像を読み取る固定読取位置に対向する位置を含んだ範囲に設定されている請求項９記載の画像読取装置。
【発明の詳細な説明】
【技術分野】
【０００１】
本発明は画像読取装置に関する。
【背景技術】
【０００２】
特許文献１に従来の画像読取装置の例が開示されている。この画像読取装置は、搬送部と読取部とを備えている。搬送部は、上側経路と、上側経路に対して下側に位置する下側経路と、上側経路と下側経路とを接続する湾曲経路とを含んでシートを搬送する搬送経路を規定している。搬送部は、シートを上側経路から、湾曲経路を経由し、下側経路に搬送する。読取部は、搬送部によって搬送経路を搬送されるシートの画像を読み取る。
【０００３】
搬送部は、ガイド面を形成するシュート部材を含んでいる。ガイド面は、上側経路において下側を向くとともに下側経路において上側を向くシートの第１面に当接可能に延在し、搬送経路においてシートを案内する。
【０００４】
より詳しくは、シュート部材は、第１シュート部材と第２シュート部材とを有している。第１シュート部材は、ガイド面のうち、上側経路を規定する第１ガイド面を形成している。第２シュート部材は、ガイド面のうち、下側経路を規定する第２ガイド面を形成している。第１シュート部材は、保持部を有している。保持部は、第１ガイド面から下側経路側に向かって凹み、読取部を保持している。
【０００５】
この画像読取装置では、搬送部がシートを上側経路から、湾曲経路を経由し、下側経路に搬送する。そのシートが上側経路を通過する際に、読取部がそのシートの第１面の画像を読み取る。
【先行技術文献】
【特許文献】
【０００６】
【特許文献１】特許第５１２６２７０号公報
【発明の概要】
【発明が解決しようとする課題】
【０００７】
ところで、上記従来の画像読取装置では、保持部を有する第１シュート部材が第１ガイド面全体を形成することによって、部品として大きくなり易い。通常、製造工程において、読取部を保持部に装着する場合、埃、粉塵等が読取部の周辺に入らないように、クリーンルームで読取部の装着作業を行う。その際、保持部を備える部品（第１シュート部材）のサイズが大きくなる程、取り回しが煩雑になり易い。このため、この画像読取装置では、クリーンルーム内で第１シュート部材の保持部に読取部を装着する作業を効率良く行うことが難しくなるおそれがあり、生産性の向上が難しい。一方、クリーンルーム内ではない場所で読取部を保持部に装着する場合には、埃、粉塵等が読取部の周辺に入り易く、読取品質の低下につながるという問題がある。
【０００８】
本発明は、上記従来の実情に鑑みてなされたものであって、読取品質の低下を抑制できるとともに、生産性の向上を実現できる画像読取装置を提供することを目的とする。
【課題を解決するための手段】
【０００９】
本発明の画像読取装置は、上側経路と、前記上側経路に対して下側に位置する下側経路と、前記上側経路と前記下側経路とを接続する湾曲経路とを含んでシートを搬送する搬送経路を規定し、前記上側経路及び前記下側経路の一方から、前記湾曲経路を経由し、前記上側経路及び前記下側経路の他方にシートを搬送するように構成された搬送部と、
前記搬送部によって搬送されるシートの画像を読み取る第１読取部と、を備える画像読取装置であって、
前記下側経路は、前記湾曲経路よりも下方に位置する所定の部分を基準部として、前記湾曲経路から前記基準部に向かって下り傾斜する第１傾斜部と、前記基準部から前記湾曲経路とは反対側に向かって上り傾斜する第２傾斜部と、を含み、
前記第１読取部は、シートが前記第１傾斜部及び前記第２傾斜部の一方を通過する際にシートの画像を読み取るように構成され、
前記搬送部は、前記上側経路において下側を向くとともに前記下側経路において上側を向くシートの第１面に当接可能に延在し、前記搬送経路においてシートを案内するガイド面を形成するシュート部材を含み、
前記シュート部材は、前記ガイド面のうち、前記上側経路を規定する第１ガイド面を形成する第１シュート部材と、前記ガイド面のうち、前記第１傾斜部及び前記第２傾斜部の一方を規定する第２ガイド面を形成する第２シュート部材と、を有し、
前記第２シュート部材は、前記第２ガイド面から前記上側経路側に向かって凹み、前記第１読取部を保持する保持部を有し、
前記第１シュート部材は、前記ガイド面のうち、前記第１傾斜部及び前記第２傾斜部の他方を規定する第３ガイド面を形成していることを特徴とする。
【００１０】
本発明の画像読取装置では、第１シュート部材は、上側経路、下側経路及び湾曲経路を含む搬送経路を規定するガイド面のうち、第１傾斜部及び第２傾斜部の他方を規定する第３ガイド面を形成している。つまり、この画像読取装置では、保持部を有する第２シュート部材が第２ガイド面を形成する一方、第３ガイド面を形成しないので、第２シュート部材の部品サイズを小さく形成できる。このため、この画像読取装置では、製造工程において、第２シュート部材の小型化により、取り回しが煩雑になり難く、クリーンルーム内で第２シュート部材の保持部に第１読取部を装着する作業を効率良く行うことができる。
【００１１】
したがって、本発明の画像読取装置では、読取品質の低下を抑制できるとともに、生産性の向上を実現できる。
【００１２】
また、この画像読取装置では、保持部を有する第２シュート部材が仮に第２ガイド面と第３ガイド面とを形成する場合と比較して、第２シュート部材の成形型についてアンダーカットを無くし易い。このため、この画像読取装置では、第２シュート部材の成形型を簡素化でき、ひいては、製造コストの低廉化を実現できる。
【００１３】
第３ガイド面は、第１シュート部材において第１ガイド面とは反対側を向く面から下側経路側に向かって突出するように形成された複数のリブの下端縁によって構成されていることが望ましい。この場合、第３ガイド面が複数のリブの下端縁によって構成されることで、シートと第３ガイド面との接触面積を減らすことができるので、シートの搬送抵抗が減少する。
【００１４】
搬送部は、上側経路から、湾曲経路を経由し、下側経路にシートを搬送するように構成されていることが望ましい。また、第１読取部は、シートが第１傾斜部を通過する際にシートの画像を読み取るように構成されていることが望ましい。第２シュート部材は、ガイド面のうち、第１傾斜部を規定する第２ガイド面を形成していることが望ましい。第１シュート部材は、ガイド面のうち、第２傾斜部を規定する第３ガイド面を形成していることが望ましい。
【００１５】
本発明の画像読取装置は、上側経路に送り出されるシートを下側から支持する供給部と、下側経路において搬送されるシートが排出される排出部と、をさらに備えていることが望ましい。搬送部は、供給部から上側経路に送り出されるシートに接触しつつ回転し、シートを湾曲経路に向けて搬送する分離ローラと、分離ローラに対向し、分離ローラによって搬送されるシートを分離ローラと協働して１枚ずつに分離する分離片とを含んでいることが望ましい。そして、分離ローラ及び分離片は、第１シュート部材に取り付けられていることが望ましい。この構成によれば、分離ローラ及び分離片を共通の第１シュート部材に取り付けることで、双方の相対位置関係のばらつきが抑制されるので、シートの分離性能を安定させることができる。
【００１６】
搬送部は、供給部から上側経路に送り出されるシートが分離ローラの近傍に位置することを検出する検出部を含んでいることが望ましい。そして、検出部の少なくとも一部は、第１シュート部材に取り付けられていることが望ましい。この構成によれば、分離ローラと、検出部の少なくとも一部とを共通の第１シュート部材に取り付けることで、双方の相対位置関係のばらつきが抑制されるので、検出部の検出精度を安定させることができる。
【００１７】
搬送部は、第１ガイド面に上側から対向しつつ、シートの第１面とは反対側を向く第２面に当接可能に延在し、上側経路においてシートを案内する第４ガイド面を形成する第１カバー部材と、第２ガイド面及び第３ガイド面に下側から対向しつつ、シートの第２面に当接可能に延在し、下側経路においてシートを案内する第５ガイド面を形成する第２カバー部材とを含んでいることが望ましい。
【００１８】
搬送部は、搬送経路に沿ってシートを搬送する複数の搬送ローラを有していることが望ましい。そして、各搬送ローラは、第２カバー部材に取り付けられることが望ましい。この構成によれば、各搬送ローラを共通の第２カバー部材に取り付けることで、各搬送ローラの相対位置関係のばらつきが抑制されるので、搬送部によるシートの搬送を安定させることができる。
【００１９】
搬送部は、各搬送ローラを駆動するための駆動部と、駆動部を保持するフレーム部材とを含んでいることが望ましい。そして、フレーム部材は、第２カバー部材に取り付けられることが望ましい。この構成によれば、各搬送ローラと駆動部とを共通の第２カバー部材に取り付けることで、これらの構成要素の相対位置関係のばらつきが抑制されるので、搬送部によるシートの搬送を一層安定させることができる。
【００２０】
本発明の画像読取装置は、読取対象の原稿を支持する原稿支持面が上面に形成された本体部と、本体部内に収容され、原稿支持面に支持された原稿の画像を移動しながら読み取る第２読取部と、原稿支持面を覆う閉鎖位置と、原稿支持面を露出させる開放位置とに変位可能に本体部に支持された開閉部と、をさらに備えていることが望ましい。搬送部及び第１読取部は、開閉部に設けられていることが望ましい。そして、第２読取部は、開閉部が閉鎖位置にある状態において、下側経路の基準部と対向し、搬送部によって搬送されるシートが基準部を通過する際にシートの第１面とは反対側を向く第２面の画像を読み取るように構成されていることが望ましい。
【００２１】
基準部は、第２読取部が搬送部によって搬送されるシートの画像を読み取る固定読取位置に対向する位置を含んだ範囲に設定されていることが望ましい。
【図面の簡単な説明】
【００２２】
【図１】実施例の画像読取装置の斜視図である。
【図２】実施例の画像読取装置の模式側面図である。
【図３】実施例の画像読取装置の模式部分断面図である。
【図４】実施例の画像読取装置に係り、第１カバー部材、第１シュート部材、第２カバー部材等を示す部分斜視図である。
【図５】実施例の画像読取装置に係り、第１シュート部材を下から見上げた状態を示す斜視図である。
【図６】実施例の画像読取装置に係り、第２シュート部材を示す斜視図である。
【図７】実施例の画像読取装置に係り、第２カバー部材を示す斜視図である。
【図８】実施例の画像読取装置に係り、第２カバー部材に組み付けられた状態の第２シュート部材、搬送ローラ、駆動部等を示す部分斜視図である。
【図９】実施例の画像読取装置に係り、図８から第２シュート部材を取り除いた状態を示す部分斜視図である。
【図１０】変形例の画像読取装置に係り、第２カバー部材を示す部分斜視図である。
【発明を実施するための形態】
【００２３】
以下、本発明を具体化した実施例を図面を参照しつつ説明する。
【００２４】
（実施例）
図１に示すように、実施例の画像読取装置１は、本発明の画像読取装置の具体的態様の一例である。図１では、操作パネル８Ｐが設けられた側を装置の前側と規定し、操作パネル８Ｐに向かった場合に左手に来る側を左側と規定して、前後、左右及び上下の各方向を表示する。そして、図２以降の各図に示す各方向は、全て図１に示す各方向に対応させて表示する。以下、図１等に基づいて、画像読取装置１が備える各構成要素について説明する。
【００２５】
＜構成＞
図１〜図３に示すように、画像読取装置１は、本体部８、開閉部９、画像形成ユニット５、読取ユニット３、供給トレイ９１、排出トレイ９２及び搬送部４を備えている。本体部８は、扁平な略箱状体である。図１に示すように、本体部８の前面には、タッチパネル等である操作パネル８Ｐが設けられている
【００２６】
図１及び図２に示すように、画像形成ユニット５は、本体部８内の下側部分に収容されている。画像形成ユニット５は、インクジェット方式又はレーザ方式等によりシートに画像を形成する。
【００２７】
図３に示すように、本体部８の上面には、第１プラテンガラス８１及び第２プラテンガラス８２が配設されている。第１プラテンガラス８１の上面によって、原稿支持面８１Ａが形成されている。原稿支持面８１Ａは、読取対象の原稿の画像を静止状態で読取ユニット３が読み取る際に、その原稿を下側から支持する。読取対象の原稿には、用紙、ＯＨＰシート等であるシートの他、書籍等が含まれる。第２プラテンガラス８２は、第１プラテンガラス８１の左側に位置して前後方向に細長く延びている。第２プラテンガラス８２の上面によって、読取面８２Ａが形成されている。読取面８２Ａは、搬送部４によって１枚ずつ搬送されるシートＳＨの画像を読取ユニット３が読み取る際に、その搬送されるシートＳＨを下側から案内する。
【００２８】
図１に示すように、開閉部９は、本体部８の後面側上端縁に配設された図示しないヒンジによって、左右方向に延びる開閉軸心Ｘ９周りで揺動可能に支持されている。開閉部９は、図１〜図３に示す閉鎖位置では、原稿支持面８１Ａを上方から覆っている。図示は省略するが、開閉部９は、その前端部側が上方かつ後方に変位するように開閉軸心Ｘ９周りで揺動することにより、原稿支持面８１Ａを露出させる開放位置に変位する。これにより、ユーザは読取対象の原稿を原稿支持面８１Ａに支持させることができる。
【００２９】
図２及び図３に示すように、読取ユニット３は、本体部８内の上側部分に収容された読取センサ３Ｂ及び図示しない走査機構と、開閉部９内に収容された読取センサ３Ａとを有している。読取センサ３Ａは、本発明の「第１読取部」の一例である。読取センサ３Ｂは、本発明の「第２読取部」の一例である。
【００３０】
読取センサ３Ｂは、原稿支持面８１Ａ及び読取面８２Ａの下側に位置している。図示しない走査機構は、原稿支持面８１Ａに支持される原稿の画像を読み取る際に、読取センサ３Ｂを本体部８内における原稿支持面８１Ａの下側で左右方向に往復動させる。また、図示しない走査機構は、搬送部４によって搬送されるシートＳＨの画像を読取センサ３Ｂが読み取る際に、読取センサ３Ｂを本体部８内における読取面８２Ａの下側の固定読取位置で停止させる。
【００３１】
読取センサ３Ａは、後述するように、開閉部９内における搬送経路Ｐ１の途中に配設されている。図３に示すように、読取センサ３Ａは、第３プラテンガラス８３を介して搬送経路Ｐ１に臨んでいる。第３プラテンガラス８３の読取面８３Ａは、搬送部４によって搬送されるシートＳＨの画像を読取センサ３Ａが読み取る際に、その搬送されるシートＳＨを上側から案内する。
【００３２】
読取センサ３Ａ、３Ｂとしては、ＣＩＳ（Ｃｏｎｔａｃｔ  Ｉｍａｇｅ  Ｓｅｎｓｏｒ）やＣＣＤ（Ｃｈａｒｇｅ  Ｃｏｕｐｌｅｄ  Ｄｅｖｉｃｅ）等の周知の画像読取センサが採用される。
【００３３】
図２及び図３に示すように、供給トレイ９１、排出トレイ９２及び搬送部４は、開閉部９に設けられている。供給トレイ９１は、本発明の「供給部」の一例である。排出トレイ９２は、本発明の「排出部」の一例である。供給トレイ９１は、図１に実線で示す閉じた状態のカバー９Ｃを図２に二点鎖線で示すように展開することによって、開閉部９の右側部分に形成される。排出トレイ９２は、供給トレイ９１よりも下側に位置している。
【００３４】
図３に示すように、供給トレイ９１は、搬送部４によって搬送される読取対象のシートＳＨを下側から支持する。供給トレイ９１に支持されるシートＳＨの下側を向く面を第１面ＳＨ１とする。供給トレイ９１に支持されるシートＳＨの上側を向く面、すなわち第１面ＳＨ１とは反対側を向く面を第２面ＳＨ２とする。排出トレイ９２には、読取センサ３Ａ、３Ｂによって画像が読み取られ、搬送部４によって搬送されたシートＳＨが排出される。シートＳＨが排出トレイ９２に排出されると、第１面ＳＨ１は上側を向き、第２面ＳＨ２は下側を向く。
【００３５】
図３〜図７に示すように、搬送部４は、シュート部材１００、第１カバー部材１３０及び第２カバー部材１４０を含んでいる。シュート部材１００、第１カバー部材１３０及び第２カバー部材１４０には、後述する複数のガイド面が開閉部９内でシートＳＨの第１面ＳＨ１又は第２面ＳＨ２に当接可能に形成されている。搬送部４は、それら複数のガイド面に囲まれた空間として、図２及び図３に示す搬送経路Ｐ１を規定する。搬送経路Ｐ１は、上側経路ＰＡ１と下側経路ＰＢ１と湾曲経路ＰＣ１とを含んでいる。
【００３６】
上側経路ＰＡ１は、供給トレイ９１から開閉部９の左端部側まで延びている。上側経路ＰＡ１は、供給トレイ９１に連続する部分が下り傾斜し、後述する供給ローラ４１と分離ローラ４２との間にある位置を境に、上り傾斜している。
【００３７】
下側経路ＰＢ１は、上側経路ＰＡ１に対して下側に位置している。下側経路ＰＢ１は、開閉部９の左端部側から排出トレイ９２まで延びている。下側経路ＰＢ１は、開閉部９の左端部側から読取面８２Ａに接近するように下り傾斜し、読取面８２Ａに沿って略水平に右側に延びた後、排出トレイ９２に向かって上り傾斜している。
【００３８】
湾曲経路ＰＣ１は、左側に膨らむように湾曲しつつ、上側経路ＰＡ１の左端と下側経路ＰＢ１の左端とを接続している。
【００３９】
下側経路ＰＢ１は、読取面８２Ａに沿って略水平に右側に延びる部分、すなわち、湾曲経路ＰＣ１よりも下方に位置する所定の部分を基準部ＰＢ１０として、第１傾斜部ＰＢ１１と第２傾斜部ＰＢ１２とを含んでいる。
【００４０】
第１傾斜部ＰＢ１１は、下側経路ＰＢ１のうち、開閉部９の左端部側から読取面８２Ａに接近するように下り傾斜する部分、すなわち、湾曲経路ＰＣ１から基準部ＰＢ１０に向かって下り傾斜する部分である。
【００４１】
第２傾斜部ＰＢ１２は、下側経路ＰＢ１のうち、読取面８２Ａから排出トレイ９２に向かって上り傾斜する部分、すなわち、基準部ＰＢ１０から湾曲経路ＰＣ１とは反対側に向かって上り傾斜する部分である。
【００４２】
搬送部４は、搬送経路Ｐ１において上側経路ＰＡ１から湾曲経路ＰＣ１を経由して下側経路ＰＢ１にシートＳＨを搬送する。搬送経路Ｐ１におけるシートＳＨの搬送方向は、上側経路ＰＡ１では左向きであり、湾曲経路ＰＣ１では左向きから変化して右向きになり、下側経路ＰＢ１では右向きである。搬送経路Ｐ１において、上側経路ＰＡ１の右端側が搬送方向の上流側であり、下側経路ＰＢ１の右端側が搬送方向の下流側である。
【００４３】
このような搬送経路Ｐ１を規定するシュート部材１００、第１カバー部材１３０及び第２カバー部材１４０の具体的構成を詳しく説明する。
【００４４】
図２〜図６に示すように、シュート部材１００は、第１シュート部材１１０と第２シュート部材１２０とを有し、これらが組み付けられてなる。第１シュート部材１１０及び第２シュート部材１２０は、例えば熱可塑性樹脂の射出成形により製造される樹脂成形品である。また、第１カバー部材１３０及び第２カバー部材１４０も、例えば熱可塑性樹脂の射出成形により製造される樹脂成形品である。
【００４５】
図３及び図５に示すように、第１シュート部材１１０は、前後方向及び左右方向に延在している。図３に示すように、第１シュート部材１１０の上面の右側部分は、展開されたカバー９Ｃの上面の左端縁に接続して左向きに下り傾斜し、第１シュート部材１１０の上面の左側部分は、開閉部９の左端部側まで左向きに上り傾斜している。第１シュート部材１１０は、その上面によって、上側経路ＰＡ１を規定する第１ガイド面１１１を形成している。第１ガイド面１１１は、上側経路ＰＡ１を搬送されるシートＳＨの第１面ＳＨ１に当接可能に延在し、上側経路ＰＡ１においてシートＳＨを下側から案内する。
【００４６】
図３及び図５に示すように、第１シュート部材１１０の左端部には、左向きから下向きに変化する円弧を描くように湾曲する上側湾曲面１１６が形成されている。上側湾曲面１１６は、湾曲経路ＰＣ１の上側部分を規定している。上側湾曲面１１６は、湾曲経路ＰＣ１の上側部分を搬送されるシートＳＨの第１面ＳＨ１に当接可能に延在し、湾曲経路ＰＣ１の上側部分においてシートＳＨを下側及び右側から案内する。
【００４７】
図３及び図６に示すように、第２シュート部材１２０は、前後方向及び左右方向に延在している。第２シュート部材１２０の左右方向の長さは、第１シュート部材１１０の左向きに上り傾斜する左側部分の左右方向の長さと同程度とされている。つまり、第２シュート部材１２０の左右方向の長さは、第１シュート部材１１０の左右方向の長さの半分程度である。第２シュート部材１２０は、第１シュート部材１１０の左側部分に対して、下側から組み付けられている。
【００４８】
第２シュート部材１２０の左端部には、下向きから右向きに変化する円弧を描くように湾曲する下側湾曲面１２６が形成されている。下側湾曲面１２６は、湾曲経路ＰＣ１の下側部分を規定している。下側湾曲面１２６は、湾曲経路ＰＣ１の下側部分を搬送されるシートＳＨの第１面ＳＨ１に当接可能に延在し、湾曲経路ＰＣ１の下側部分においてシートＳＨを右側及び上側から案内する。
【００４９】
図３に示すように、第２シュート部材１２０の下面は、下側湾曲面１２６に接続して右向きに下り傾斜している。第２シュート部材１２０は、その下面によって、下側経路ＰＢ１の第１傾斜部ＰＢ１１を規定する第２ガイド面１２２を形成している。第２ガイド面１２２は、第１傾斜部ＰＢ１１を搬送されるシートＳＨの第１面ＳＨ１に当接可能に延在し、第１傾斜部ＰＢ１１においてシートＳＨを上側から案内する。
【００５０】
第２シュート部材１２０は、保持部１２９を有している。保持部１２９は、第２ガイド面１２２から、上側かつ右側に、すなわち、上側経路ＰＡ１側に向かって凹んでいる。保持部１２９は、その内部に読取センサ３Ａを保持する。保持部１２９の開口部は、第３プラテンガラス８３によって塞がれている。
【００５１】
第３プラテンガラス８３の読取面８３Ａは、第１傾斜部ＰＢ１１に沿って右向きに下り傾斜する。読取面８３Ａは、第２ガイド面１２２とともに、第１傾斜部ＰＢ１１を規定する。読取センサ３Ａは、第３プラテンガラス８３の読取面８３Ａを介して、第１傾斜部ＰＢ１１に臨む。
【００５２】
図５に示すように、第１シュート部材１１０の第１ガイド面１１１とは反対側を向く面である下面１１２には、前後一対の押圧部材保持部１１７Ａ、１１７Ａと、バネ保持部１１７Ｂとが形成されている。各押圧部材保持部１１７Ａ、１１７Ａは、図３に示す押圧部材４９の前端部及び後端部を支持する。バネ保持部１１７Ｂと押圧部材４９との間には、図３に示す付勢バネ４９Ｓが配設されている。
【００５３】
図３に示すように、押圧部材４９は、第２ガイド面１２２に右側から隣接する位置にあって、読取面８２Ａに上側から対向している。付勢バネ４９Ｓは、押圧部材４９を読取面８２Ａに向けて付勢する。押圧部材４９の下面は、下側経路ＰＢ１の基準部ＰＢ１０を規定している。押圧部材４９の下面は、基準部ＰＢ１０を搬送されるシートＳＨの第１面ＳＨ１に当接可能に延在し、基準部ＰＢ１０においてシートＳＨを上側から案内する。
【００５４】
図３及び図５に示すように、第１シュート部材１１０の下面１１２には、複数のリブ１１９が形成されている。各リブ１１９は、各押圧部材保持部１１７Ａ及びバネ保持部１１７Ｂよりも右側において、下面１１２から下側、すなわち下側経路ＰＢ１の第２傾斜部ＰＢ１２側に向かって突出している。各リブ１１９は、互いに前後方向の間隔を有して、左右方向に延びている。
【００５５】
図３に示すように、各リブ１１９の下側かつ左側の角部は、押圧部材４９に右側から隣接する位置にある。各リブ１１９の下端縁１１９Ａは、その下側かつ左側の角部から右向きに上り傾斜している。第１シュート部材１１０は、各リブ１１９の下端縁１１９Ａによって、下側経路ＰＢ１の第２傾斜部ＰＢ１２を規定する第３ガイド面１１３を形成している。第３ガイド面１１３は、第２傾斜部ＰＢ１２を搬送されるシートＳＨの第１面ＳＨ１に当接可能に延在し、第２傾斜部ＰＢ１２においてシートＳＨを上側から案内する。
【００５６】
つまり、シュート部材１００は、第１シュート部材１１０の第１ガイド面１１１及び上側湾曲面１１６、第２シュート部材１２０の下側湾曲面１２６及び第２ガイド面１２２、押圧部材４９の下面、第１シュート部材１１０の第３ガイド面１１３によって、ガイド面１０１を形成している。ガイド面１０１は、シートＳＨの第１面ＳＨ１に当接可能に延在し、後述する複数の搬送ローラにより搬送されるシートＳＨを搬送経路Ｐ１に沿って案内する。
【００５７】
図３及び図４に示すように、第１カバー部材１３０は、第１シュート部材１１０に対して上側から組み付けられている。第１カバー部材１３０は、第１シュート部材１１０を覆うように前後方向及び左右方向に延在している。
【００５８】
図３に示すように、第１カバー部材１３０の下面には、複数のリブ１３９が形成されている。図示は省略するが、各リブ１３９は、互いに前後方向の間隔を有して、左右方向に延びている。各リブ１３９の下端縁１３９Ａは、第１シュート部材１１０の第１ガイド面１１１との間に間隔を有しつつ、第１ガイド面１１１に沿って左右方向に延びている。そして、各リブ１３９の下端縁１３９Ａは、第１シュート部材１１０の上側湾曲面１１６との間に間隔を有しつつ、左向きから下向きに変化する円弧を描くように湾曲している。
【００５９】
第１カバー部材１３０は、各リブ１３９の下端縁１３９Ａによって、上側経路ＰＡ１及び湾曲経路ＰＣ１の上側部分を規定する第４ガイド面１３４を形成している。第４ガイド面１３４は、上側経路ＰＡ１及び湾曲経路ＰＣ１の上側部分を搬送されるシートＳＨの第２面ＳＨ２に当接可能に延在し、上側経路ＰＡ１及び湾曲経路ＰＣ１の上側部分においてシートＳＨを上側及び左側から案内する。
【００６０】
図３、図４及び図７〜図９に示すように、第２カバー部材１４０は、第１シュート部材１１０及び第２シュート部材１２０に対して下側から組み付けられている。第２カバー部材１４０は、前後方向及び左右方向に延在している。第２カバー部材１４０の下面によって、開閉部９の下面が形成されている。
【００６１】
第２カバー部材１４０の右側部分の上面は、排出トレイ９２とされている。第２カバー部材１４０の左側部分には、前後方向に細長い矩形状の開口１４０Ｈが貫設されている。図３に示すように、開口１４０Ｈは、開閉部９が閉鎖位置にある状態において、読取面８２Ａの真上に位置し、読取面８２Ａと押圧部材４９とを対面させる。これにより、読取面８２Ａは、下側経路ＰＢ１の基準部ＰＢ１０を規定する。読取面８２Ａは、基準部ＰＢ１０を搬送されるシートＳＨの第２面ＳＨ２に当接可能に延在し、基準部ＰＢ１０においてシートＳＨを下側から案内する。換言すると、基準部ＰＢ１０は、読取センサ３Ｂが搬送部４によって搬送されるシートＳＨの画像を読み取る固定読取位置に対向する位置、すなわち読取面８２Ａの位置を含んだ範囲に設定されている。
【００６２】
図３及び図７〜図９に示すように、第２カバー部材１４０の左側部分において、開口１４０Ｈより左側には第５ガイド面１４５Ａが形成され、開口１４０Ｈより右側には第５ガイド面１４５Ｂが形成されている。
【００６３】
図３に示すように、第５ガイド面１４５Ａは、第２シュート部材１２０の下側湾曲面１２６との間に間隔を有しつつ、下向きから右向きに変化する円弧を描くように湾曲する。そして、第５ガイド面１４５Ａは、第２シュート部材１２０の第２ガイド面１２２との間に間隔を有しつつ、右向きに下り傾斜して開口１４０Ｈに至る。
【００６４】
第５ガイド面１４５Ａは、湾曲経路ＰＣ１の下側部分及び下側経路ＰＢ１の第１傾斜部ＰＢ１１を規定する。第５ガイド面１４５Ａは、湾曲経路ＰＣ１の下側部分及び下側経路ＰＢ１の第１傾斜部ＰＢ１１を搬送されるシートＳＨの第２面ＳＨ２に当接可能に延在し、湾曲経路ＰＣ１の下側部分及び下側経路ＰＢ１の第１傾斜部ＰＢ１１においてシートＳＨを左側及び下側から案内する。
【００６５】
第５ガイド面１４５Ｂは、第１シュート部材１１０の第３ガイド面１１３との間に間隔を有しつつ、右向きに上り傾斜して排出トレイ９２に至る。
【００６６】
第５ガイド面１４５Ｂは、下側経路ＰＢ１の第２傾斜部ＰＢ１２を規定する。第５ガイド面１４５Ｂは、下側経路ＰＢ１の第２傾斜部ＰＢ１２を搬送されるシートＳＨの第２面ＳＨ２に当接可能に延在し、下側経路ＰＢ１の第２傾斜部ＰＢ１２においてシートＳＨを下側から案内する。
【００６７】
第２カバー部材１４０の左端部には、押圧部材１４９が第５ガイド面１４５Ａに沿うように設けられている。押圧部材１４９は、付勢バネ１４９Ｓによって、第３プラテンガラス８３に向かって付勢されている。押圧部材１４９の第３プラテンガラス８３に対向する面も、第５ガイド面１４５Ａとともに、下側経路ＰＢ１の第１傾斜部ＰＢ１１を規定する。
【００６８】
図８及び図９に示すように、搬送部４は、駆動部４Ｍとフレーム部材１５０とを含んでいる。フレーム部材１５０は、第２カバー部材１４０における開口１４０Ｈ及び第５ガイド面１４５Ａ、１４５Ｂより後側の部分に、止めネジ等によって取り付けられている。フレーム部材１５０は、鋼板が打ち抜き加工及び折り曲げ加工されてなる。フレーム部材１５０は、第２カバー部材１４０から立ち上がるように屈曲しかつ、左右方向に延びている。フレーム部材１５０は、その立ち上がる部分において、駆動部４Ｍを保持している。駆動部４Ｍは、複数のギヤ群やプーリー等からなり、図示しない電動モータに連結されている。
【００６９】
図３に示すように、搬送部４は、上側経路ＰＡ１のうち、供給トレイ９１に近い位置において、供給ローラ４１、分離ローラ４２、分離片４３及び検出部４７を含んでいる。
【００７０】
供給ローラ４１と分離ローラ４２とは、第１シュート部材１１０の第１ガイド面１１１に対して上側から対向する位置に設けられている。分離ローラ４２は、前後方向に延びる駆動軸４２Ｓに組み付けられている。分離ローラ４２は、駆動軸４２Ｓと一体で回転するローラである。
【００７１】
図４に示すように、駆動軸４２Ｓの前端部４２Ｆは、第１シュート部材１１０に回転可能に支持されている。図示は省略するが、駆動軸４２Ｓの後端部は、前端部４２Ｆと同様に、第１シュート部材１１０に回転可能に支持されている。駆動軸４２Ｓの後端部には図示しないギヤが固定され、そのギヤが図８に示す駆動部４Ｍを構成するギヤと噛み合っている。図示しない電動モータの駆動力が駆動部４Ｍを経由して、駆動軸４２Ｓに伝達されることにより、分離ローラ４２が回転する。
【００７２】
図３に示すように、駆動軸４２Ｓには、ホルダ４２Ｆが揺動可能に支持されている。ホルダ４２Ｆは、駆動軸４２Ｓから右側に突出している。供給ローラ４１は、ホルダ４２Ｆの右側部分に回転可能に支持されている。図示は省略するが、ホルダ４２Ｆには、駆動軸４２Ｓから供給ローラ４１に回転駆動力を伝達する図示しない伝達ギヤ群が設けられている。
【００７３】
分離片４３は、第１シュート部材１００において、分離ローラ４２に下側から対向する位置に設けられている。分離片４３は、ゴムやエラストマー等の軟質材料からなる板状体である。分離片４３は、第１シュート部材１００に揺動可能に支持された分離片ホルダ４３Ｆの上面に固定されている。分離片ホルダ４３Ｆと第１シュート部材１００との間には、付勢バネ４３Ｓが配設されている。付勢バネ４３Ｓが分離片ホルダ４３Ｆを上向きに付勢することにより、分離片４３が分離ローラ４２に押圧される。
【００７４】
供給ローラ４１は、駆動軸４２Ｓと平行な軸心周りに回転し、供給トレイ９１に支持されるシートＳＨに搬送力を付与して、そのシートＳＨを分離ローラ４２に向けて送り出す。分離ローラ４２は、供給トレイ９１から上側経路ＰＡ１に沿って送り出されるシートＳＨに接触しつつ回転し、シートＳＨを湾曲経路ＰＣ１に向けて搬送する。分離片４３は、分離ローラ４２によって搬送されるシートＳＨを分離ローラ４２と協働して１枚ずつに分離する。
【００７５】
図３及び図５に示すように、検出部４７は、アクチュエータ４７Ａと、フォトインタラプタ４７Ｂとを有している。アクチュエータ４７Ａ及びフォトインタラプタ４７Ｂは、第１シュート部材１１０の下面１１２側に取り付けられている。アクチュエータ４７Ａは、２枚のリブ１１９の間で揺動可能に支持されている。フォトインタラプタ４７Ｂは、アクチュエータ４７Ａの揺動によって、光路が開放及び遮断される。
【００７６】
図３に示すように、アクチュエータ４７Ａの上端部は、第１ガイド面１１１より上側に突出し、供給ローラ４１と分離ローラ４２との間に位置している。供給トレイ９１に支持されるシートＳＨが分離ローラ４２の近傍まで挿し込まれると、アクチュエータ４７Ａの上端部がシートＳＨに押されて第１ガイド面１１１より下側に引っ込む。すると、フォトインタラプタ４７Ｂの光路が開放又は遮断される。これにより、検出部４７は、供給トレイ９１から上側経路ＰＡ１に送り出されるシートＳＨが分離ローラ４２の近傍に位置することを検出する。
【００７７】
図３、図７〜図９に示すように、搬送部４は、第１搬送ローラ４４、ピンチローラ４４Ｐ、第２搬送ローラ４５、ピンチローラ４５Ｐ、排出ローラ４８及びピンチローラ４８Ｐを有している。第１搬送ローラ４４、第２搬送ローラ４５及び排出ローラ４８は、本発明の「搬送ローラ」の一例である。
【００７８】
図３に示すように、第１搬送ローラ４４及びピンチローラ４４Ｐは、上側経路ＰＡ１において、分離ローラ４２及び分離片４３よりも左側、すなわち、搬送方向の下流側に配設されている。第１搬送ローラ４４は、第１ガイド面１１１側に位置し、ピンチローラ４４Ｐは、第４ガイド面１３４側に位置している。
【００７９】
図８及び図９に示すように、第１搬送ローラ４４は、前後方向に延びる駆動軸４４Ｓに組み付けられている。第１搬送ローラ４４は、駆動軸４４Ｓと一体で回転するローラである。
【００８０】
駆動軸４４Ｓの前端部４４Ｆは、第２カバー部材１４０に回転可能に支持されている。駆動軸４４Ｓの後端部４４Ｒは、第２カバー部材１４０に取り付けられたフレーム部材１５０に回転可能に支持されている。駆動軸４４Ｓの後端部４４Ｒにはギヤが固定され、そのギヤが駆動部４Ｍを構成するギヤと噛み合っている。図示しない電動モータの駆動力が駆動部４Ｍを経由して、駆動軸４４Ｓに伝達されることにより、第１搬送ローラ４４が回転する。ピンチローラ４４Ｐは、第１搬送ローラ４４によって従動回転する。
【００８１】
図３に示すように、第２搬送ローラ４５及びピンチローラ４５Ｐは、下側経路ＰＢ１の第１傾斜部ＰＢ１１において、読取センサ３Ａよりも左側、すなわち、搬送方向の上流側に配設されている。第２搬送ローラ４５は、第２ガイド面１２２側に位置し、ピンチローラ４５Ｐは、第５ガイド面１４５Ａ側に位置している。
【００８２】
図８及び図９に示すように、第２搬送ローラ４５は、前後方向に延びる駆動軸４５Ｓに組み付けられている。第２搬送ローラ４５は、駆動軸４５Ｓと一体で回転するローラである。
【００８３】
駆動軸４５Ｓの前端部４５Ｆは、第２カバー部材１４０に回転可能に支持されている。駆動軸４５Ｓの後端部４５Ｒは、第２カバー部材１４０に取り付けられたフレーム部材１５０に回転可能に支持されている。駆動軸４５Ｓの後端部４５Ｒにはギヤが固定され、そのギヤが駆動部４Ｍを構成するギヤと噛み合っている。図示しない電動モータの駆動力が駆動部４Ｍを経由して、駆動軸４５Ｓに伝達されることにより、第２搬送ローラ４５が回転する。ピンチローラ４５Ｐは、第２搬送ローラ４５によって従動回転する。
【００８４】
第１搬送ローラ４４及びピンチローラ４４Ｐは、分離ローラ４２及び分離片４３によって１枚ずつに分離されたシートＳＨをニップし、湾曲経路ＰＣ１に搬送する。第２搬送ローラ４５及びピンチローラ４５Ｐは、そのシートＳＨをニップし、第１傾斜部ＰＢ１１に臨む読取センサ３Ａ、及び固定読取位置に停止して基準部ＰＢ１０に臨む読取センサ３Ｂに向けて、そのシートＳＨを搬送する。この際、そのシートＳＨは、押圧部材１４９によって、読取面８３Ａに押し付けられる。また、そのシートＳＨは、押圧部材４９によって、読取面８２Ａに押し付けられる。
【００８５】
図３に示すように、排出ローラ４８及びピンチローラ４８Ｐは、下側経路ＰＢ１の第２傾斜部ＰＢ１２の右端側で排出トレイ９２に臨む位置に配設されている。排出ローラ４８は、第３ガイド面１１３側に位置し、ピンチローラ４８Ｐは、第５ガイド面１４５Ｂ側に位置している。
【００８６】
図８及び図９に示すように、排出ローラ４８は、前後方向に延びる駆動軸４８Ｓに組み付けられている。排出ローラ４８は、駆動軸４８Ｓと一体で回転するローラである。
【００８７】
駆動軸４８Ｓの前端部４８Ｆは、第２カバー部材１４０に回転可能に支持されている。駆動軸４８Ｓの後端部４８Ｒは、第２カバー部材１４０に取り付けられたフレーム部材１５０に回転可能に支持されている。駆動軸４８Ｓの後端部４８Ｒにはプーリーが固定され、そのプーリーが駆動部４Ｍを構成するプーリーとタイミングベルトによって連結されている。図示しない電動モータの駆動力が駆動部４Ｍを経由して、駆動軸４８Ｓに伝達されることにより、排出ローラ４８が回転する。ピンチローラ４８Ｐは、排出ローラ４８によって従動回転する。
【００８８】
排出ローラ４８及びピンチローラ４８Ｐは、読取面８２Ａ上を通過したシートＳＨをニップして、排出トレイ９２に排出する。
【００８９】
＜画像読取動作＞
この画像読取装置１では、原稿支持面８１Ａに支持された原稿の画像を読み取る場合、読取ユニット３において図示しない走査機構が作動し、読取センサ３Ｂを原稿支持面８１Ａの左端縁の下側から右端縁の下側までの間で左右方向に移動させる。これにより、読取センサ３Ｂは、原稿支持面８１Ａに支持された原稿の画像を読み取る。その後、図示しない走査機構は、読み取りを終えた読取センサ３Ｂを読取ユニット３内における右端側から左端側に移動させ、元の位置に復帰させる。
【００９０】
また、この画像読取装置１では、供給トレイ９１上のシートＳＨの第１面ＳＨ１及び第２面ＳＨ２の画像を読み取る場合、開閉部９が閉鎖位置にある状態とされる。そして、読取ユニット３において、図示しない走査機構が作動し、読取センサ３Ｂを読取面８２Ａの下側の固定読取位置に停止させる。読取センサ３Ｂは、固定読取位置において、下側経路ＰＢ１の基準部ＰＢ１０と対向する。
【００９１】
搬送部４が供給トレイ９１上のシートＳＨを搬送経路Ｐ１に沿って順次搬送すると、そのシートＳＨは、上側経路ＰＡ１及び湾曲経路ＰＣ１を通過し、下側経路ＰＢ１に至る。すると、読取センサ３Ａは、第１傾斜部ＰＢ１１を通過するシートＳＨの第１面ＳＨ１の画像を読み取る。次に、固定読取位置に停止した読取センサ３Ｂは、基準部ＰＢ１０を通過するシートＳＨの第２面ＳＨ２の画像を読み取る。そして、画像が読み取られたシートＳＨは、第２傾斜部ＰＢ１２を通過し、排出ローラ４８及びピンチローラ４８Ｐによって、排出トレイ９２に排出される。
【００９２】
＜作用効果＞
実施例の画像読取装置１では、第１シュート部材１１０は、上側経路ＰＡ１、下側経路ＰＢ１、及び湾曲経路ＰＣ１を含む搬送経路Ｐ１を規定するガイド面１０１のうち、第２傾斜部ＰＢ１２を規定する第３ガイド面１１３を形成している。つまり、この画像読取装置１では、保持部１２９を有する第２シュート部材１２０が第２ガイド面１２２を形成する一方、第３ガイド面１１３を形成しない。このため、図６に示すように、第２シュート部材１２０の部品サイズを小さく形成できる。比較例として、仮に第２シュート部材１２０により第３ガイド面１１３を形成する場合に、第２シュート部材１２０に追加成形される部分を二点鎖線１２０Ｋによって示す。この比較例では、第２シュート部材１２０の部品サイズが大型化することが明らかである。このため、この画像読取装置１では、製造工程において、第２シュート部材１２０の小型化により、取り回しが煩雑になり難いので、クリーンルーム内で第２シュート部材１２０の保持部１２９に読取センサ３Ａを装着する作業を効率良く行うことができる。その結果、この画像読取装置１では、製造工程において、保持部１２９に装着される読取センサ３Ａに粉塵等が付着することを確実に排除できる。
【００９３】
したがって、実施例の画像読取装置１では、読取品質の低下を抑制できるとともに、生産性の向上を実現できる。
【００９４】
また、この画像読取装置１では、保持部１２９を有する第２シュート部材１２０が仮に第２ガイド面１２２と第３ガイド面１１３とを形成する場合と比較して、第２シュート部材１２０の成形型についてアンダーカットを無くし易い。このため、この画像読取装置１では、第２シュート部材１２０の成形型を簡素化でき、ひいては、製造コストの低廉化を実現できる。
【００９５】
さらに、この画像読取装置１では、図３及び図５に示すように、第３ガイド面１１３が複数のリブ１１９の下端縁１１９Ａによって構成されることで、シートＳＨと第３ガイド面１１３との接触面積を減らすことができる。これにより、この画像読取装置１では、シートＳＨの搬送抵抗が減少し、安定したシート搬送を実現できる。
【００９６】
また、この画像読取装置１では、図３及び図５に示すように、分離ローラ４２、分離片４３及び検出部４７が共通の第１シュート部材１１０に取り付けられている。これにより、この画像読取装置１では、分離ローラ４２と分離片４３との相対位置関係のばらつきが抑制されるので、シートＳＨの分離性能を安定させることができる。また、この画像読取装置１では、分離ローラ４２と検出部４７との相対位置関係のばらつきが抑制されるので、検出部４７の検出精度を安定させることができる。
【００９７】
さらに、この画像読取装置１では、図８及び図９に示すように、第１搬送ローラ４４、第２搬送ローラ４５及び排出ローラ４８が共通の第２カバー部材１４０に取り付けられている。また、この画像読取装置１では、駆動部４Ｍを保持するフレーム部材１５０も、第２カバー部材１４０に取り付けられている。これにより、この画像読取装置１では、第１搬送ローラ４４、第２搬送ローラ４５、排出ローラ４８及び駆動部４Ｍの相対位置関係のばらつきが抑制されるので、第１搬送ローラ４４、第２搬送ローラ４５及び排出ローラ４８によるシートＳＨの搬送を安定させることができる。
【００９８】
また、この画像読取装置１では、上述した作用効果により、読取センサ３Ａ、３ＢによるシートＳＨの第１面ＳＨ１及び第２面ＳＨ２の画像を良好に読み取ることができる。
【００９９】
以上において、本発明を実施例に即して説明したが、本発明は上記実施例に制限されるものではなく、その趣旨を逸脱しない範囲で適宜変更して適用できることはいうまでもない。
【０１００】
例えば、図１０に示すように、第２カバー部材１４０に、開口１４０Ｈを前後方向において跨ぐ押圧部材支持部１４７を設けてもよい。この場合、図５に示す前後一対の押圧部材保持部１１７Ａ、１１７Ａと、バネ保持部１１７Ｂとを第１シュート部材１１０から取り除いて、押圧部材支持部１４７の下面側に移設することができる。その結果、第１シュート部材１１０の形状を簡素化できる。
【０１０１】
実施例では、搬送部４は、上側経路ＰＡ１から、湾曲経路ＰＣ１を経由し、下側経路ＰＢ１にシートＳＨを搬送するように構成されているがこの構成には限定されない。搬送部は、下側経路から、湾曲経路を経由し、上側経路にシートを搬送するように構成されていてもよい。
【０１０２】
また、実施例では、シュート部材１００は、ガイド面１０１のうち、上側経路ＰＡ１を規定する第１ガイド面１１１を形成する第１シュート部材１１０と、ガイド面１０１のうち、第１傾斜部ＰＢ１１を規定する第２ガイド面１２２を形成する第２シュート部材１２０と、を有し、第１シュート部材１１０は、ガイド面１０１のうち、第２傾斜部ＰＢ１２を規定する第３ガイド面１１３を形成しているが、この構成には限定されない。シュート部材は、ガイド面のうち、上側経路を規定する第１ガイド面を形成する第１シュート部材と、ガイド面のうち、第２傾斜部を規定する第２ガイド面を形成する第２シュート部材と、を有し、第１シュート部材は、ガイド面のうち、第１傾斜部を規定する第３ガイド面を形成してもよい。
【産業上の利用可能性】
【０１０３】
本発明は画像読取装置、複合機等に利用可能である。
【符号の説明】
【０１０４】
１…画像読取装置、８…本体部、９…開閉部、４…搬送部
Ｐ１…搬送経路、ＰＡ１…上側経路、ＰＢ１…下側経路、ＰＣ１…湾曲経路
ＳＨ…シート、ＳＨ１…シートの第１面、ＳＨ２…シートの第２面
３Ａ…第１読取部（読取センサ）、３Ｂ…第２読取部（読取センサ）
ＰＢ１０…基準部、ＰＢ１１…第１傾斜部、ＰＢ１２…第２傾斜部
１００…シュート部材、１０１…ガイド面、１１３…第３ガイド面
１１０…第１シュート部材、１１１…第１ガイド面
１２０…第２シュート部材、１２２…第２ガイド面
１１２…第１シュート部材において第１ガイド面とは反対側を向く面（下面）
１２９…保持部、１１９…リブ、１１９Ａ…リブの下端縁
９１…供給部（供給トレイ）、９２…排出部（排出トレイ）
４２…分離ローラ、４３…分離片、４７…検出部
１３０…第１カバー部材、１３４…第４ガイド面
１４０…第２カバー部材、１４５Ａ、１４５Ｂ…第５ガイド面
４４、４５、４８…搬送ローラ（４４…第１搬送ローラ、４５…第２搬送ローラ、４８…排出ローラ）
４Ｍ…駆動部、１５０…フレーム部材、８１Ａ…原稿支持面
【図１】
2015156619.tif 000003
【図２】
2015156619.tif 000004
【図３】
2015156619.tif 000005
【図４】
2015156619.tif 000006
【図５】
2015156619.tif 000007
【図６】
2015156619.tif 000008
【図７】
2015156619.tif 000009
【図８】
2015156619.tif 000010
【図９】
2015156619.tif 000011
【図１０】
2015156619.tif 000012